(57)【要約】【課題】封印シールによって封印された基板保護ケースが不正に開放されたことによって封印シールが破断、断線した場合に、封印シールを修復しようとしても修復を困難化することができる基板保護ケースを提供する。【解決手段】収容した制御基板Ｂ面と並行な前後方向へスライドすることにより開閉可能に構成された少なくとも２つのケース片２、１０から成り、各ケース片の閉止時には、一方のケース片２の前板２Ａが他方のケース片１０の前板１０Ａと近接した位置にあり、一方のケース片の前板には凹状の切欠き部４を設けると共に、他方のケース片の前板には少なくとも一部が切欠き部の前方に位置する切断片１２を突設し、一方のケース片に対して他方のケース片が開放方向へスライドする際に該切断片の少なくとも一部が切欠き部内を通過するように構成した。【選択図】図３
2010110427.tif 000002
【特許請求の範囲】
【請求項１】
電子部品を搭載した制御基板を内部に収容し、且つ該制御基板面と並行な前後方向へスライドすることにより開閉可能に構成された少なくとも２つのケース片から成る基板保護ケースであって、
前記各ケース片の閉止時には、一方のケース片の前板が他方のケース片の前板と近接した位置にあり、
前記一方のケース片の前板には凹状の切欠き部を設けると共に、前記他方のケース片の前板には少なくとも一部が前記切欠き部の前方に位置する切断片を突設し、
前記一方のケース片に対して前記他方のケース片が開放方向へスライドする際に該切断片の少なくとも一部が前記切欠き部内を通過するように構成したことを特徴とする基板保護ケース。
【請求項２】
前記切断片は、前記他方のケース片の前板から前方へ延びる基片と、該基片から前記一方のケース片側へ屈曲、或いは湾曲した先端片と、から構成されていることを特徴とする請求項１に記載の基板保護ケース。
【請求項３】
前記切断片は、前記他方のケース片の前板から前方へ延びる基片と、該基片からＶ字状に下方へ屈曲、或いはＵ字状に湾曲した先端片と、から構成されていることを特徴とする請求項１に記載の基板保護ケース。
【請求項４】
前記一方のケース片の前板は、前記他方のケース片の前板と同等の前後位置か、或いは該他方のケースの前板の前面にオーバーラップした状態にあることを特徴とする請求項１乃至３の何れか一項に記載の基板保護ケース。
【請求項５】
前記切欠き部内を通過する前記切断片の一部を三角形状としたことを特徴とする請求項１乃至４の何れか一項に記載の基板保護ケース。
【請求項６】
請求項１乃至５の何れか一項に記載の基板保護ケースと、
前記切欠き部の少なくとも一部を塞ぐように前記一方のケース片の前板に接着される封印シールと、を備えた基板保護ケースの封印構造であって、
前記一方のケース片に対して前記他方のケース片が開放方向へスライドする際に該切断片によって前記封印シールを破断するように構成されていることを特徴とする基板保護ケースの封印構造。
【請求項７】
前記封印シールは、前記切欠き部の少なくとも一部を塞ぐように前記一方のケース片の前板に接着される接着シートと、該接着シート面に固定されたＩＣチップ、及び該ＩＣチップから延びる導体パターンを含んだＲＦＩＤと、を有していることを特徴とする請求項６に記載の基板保護ケースの封印構造。
【請求項８】
前記ＲＦＩＤの一部が前記切欠き部内に位置するように前記封印シールを接着したことを特徴とする請求項６、又は７に記載の基板保護ケースの封印構造。
【請求項９】
前記切断片の内側面、或いは／及び、前記切欠き部の周縁に沿って、前記各ケース片の開放時に前記封印シール面に接してこれを破断する突起が形成されていることを特徴とする請求項６乃至８の何れか一項に記載の基板保護ケースの封印構造。
【請求項１０】
請求項１乃至５の何れか一項に記載の基板保護ケースと、
前記切欠き部の少なくとも一部を塞ぐように前記一方のケース片の前板に接着される封印シールと、を備えた基板保護ケースの封印構造であって、
前記一方のケース片に対して前記他方のケース片が開放方向へスライドする際に該切断片が前記封印シールによって折損、或いは破断するように構成されていることを特徴とする基板保護ケースの封印構造。
【請求項１１】
請求項６乃至１０の何れか一項に記載の基板保護ケースの封印構造を備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為のために基板保護ケースが開放された形跡を確実に残して不正行為を発見可能とし、効果的に予防することができる基板保護ケース、その封印構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
【０００３】
しかし、不正行為者の手口が日々巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図１１及び図１２は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した場合には、後の修復作業によって導体パターンを再導通させることが比較的容易となる。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００６】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。
本発明は上記に鑑みてなされたものであり、ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる基板保護ケース、及びこの基板保護ケースを用いた遊技機を提供することを目的としている。
【課題を解決するための手段】
【０００７】
上記目的を達成するため、請求項１の発明は、電子部品を搭載した制御基板を内部に収容し、且つ該制御基板面と並行な前後方向へスライドすることにより開閉可能に構成された少なくとも２つのケース片から成る基板保護ケースであって、
前記各ケース片の閉止時には、一方のケース片の前板が他方のケース片の前板と近接した位置にあり、前記一方のケース片の前板には凹状の切欠き部を設けると共に、前記他方のケース片の前板には少なくとも一部が前記切欠き部の前方に位置する切断片を突設し、前記一方のケース片に対して前記他方のケース片が開放方向へスライドする際に該切断片の少なくとも一部が前記切欠き部内を通過するように構成したことを特徴とする。
基板保護ケースを不正に開放した場合に、開放方向へスライド移動するケース片から突出した切断片が、他方のケース片の前板に設けた切欠き部内を通過するように構成されているので、切断片によって切欠き部を塞ぐように貼付された封印シールを破断させることができる。このため、封印部に接着した封印シールが著しく破損されることとなり、復旧不能となり、且つ目視によって封印シールの破損の有無を知ることができる。
【０００８】
請求項２の発明は、請求項１において、前記切断片は、前記他方のケース片の前板から前方へ延びる基片と、該基片から前記一方のケース片側へ屈曲、或いは湾曲した先端片と、から構成されていることを特徴とする。
切断片は、両ケース片の閉止時には切欠き部の前方に位置しており、他方のケース片が開放方向へ移動したときに少なくとも先端片が切欠き部を通過して移動するように構成されている。
請求項３の発明は、請求項１において、前記切断片は、前記他方のケース片の前板から前方へ延びる基片と、該基片からＶ字状に下方へ屈曲、或いはＵ字状に湾曲した先端片と、から構成されていることを特徴とする。
切断片の形状に制限はない。
【０００９】
請求項４の発明は、請求項１乃至３の何れか一項において、前記一方のケース片の前板は、前記他方のケース片の前板と同等の前後位置か、或いは該他方のケースの前板の前面にオーバーラップした状態にあることを特徴とする。
請求項５の発明は、請求項１乃至４の何れか一項において、前記切欠き部内を通過する前記切断片の一部を三角形状としたことを特徴とする。
三角形状の切断片によれば、四角い切断片に比べて、切欠き部を閉止するように接着された封止シールをより容易に破断することができる。
請求項６の発明は、上記基板保護ケースと、前記切欠き部の少なくとも一部を塞ぐように前記一方のケース片の前板に接着される封印シールと、を備えた基板保護ケースの封印構造であって、前記一方のケース片に対して前記他方のケース片が開放方向へスライドする際に該切断片によって前記封印シールを破断するように構成されていることを特徴とする。
使用する封印シールには制限はない。
【００１０】
請求項７の発明は、前記封印シールは、前記切欠き部の少なくとも一部を塞ぐように前記一方のケース片の前板に接着される接着シートと、該接着シート面に固定されたＩＣチップ、及び該ＩＣチップから延びる導体パターンを含んだＲＦＩＤと、を有していることを特徴とする。
封印シールとして、ＲＦＩＤを組み込んだものを使用することにより、封印シールの破断時に、読み取り装置からＲＦＩＤに対して読み取り用の電磁波を照射した際のＲＦＩＤからの応答信号がないことによっても封印シールが破損されていることを的確に知ることができる。
請求項８の発明は、前記ＲＦＩＤの一部が前記切欠き部内に位置するように前記封印シールを接着したことを特徴とする。
請求項９の発明は、前記切断片の内側面、或いは／及び、前記切欠き部の周縁に沿って、前記各ケース片の開放時に前記封印シール面に接してこれを破断する突起が形成されていることを特徴とする。
突起を設けることにより封印シールをより容易に切断、破断することが可能となる。
【００１１】
請求項１０の発明は、上記基板保護ケースと、前記切欠き部の少なくとも一部を塞ぐように前記一方のケース片の前板に接着される封印シールと、を備えた基板保護ケースの封印構造であって、前記一方のケース片に対して前記他方のケース片が開放方向へスライドする際に該切断片が前記封印シールによって折損、或いは破断するように構成されていることを特徴とする。
請求項１１の発明は、上記何れかの基板保護ケースの封印構造を備えたことを特徴とする。
【発明の効果】
【００１２】
以上のように本発明によれば、基板保護ケースを不正に開放した場合に、一方のケース片の端面に接着された封印シールの外観、及び封印シール上のＲＦＩＤを著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
特に、外観上見やすい封印シールの特定部位に開放、破断した形跡を明確に残すように構成したので、読み取り装置を使用せずに外観から不正行為の形跡を確認することが可能となる。
また、一方のケース片に設けた切欠き部を塞ぐように接着された封印シールを、他方のケース片に設けた切断片が切欠き部を通過する際に切断するように構成したので、ケース開放時に切断片が移動することによって封印シールを著しく損傷させることが可能となり、封印シールを修復しようとしてもＲＦＩＤの通信機能を回復させることが困難となる。
封印シールとしてＲＦＩＤを有しない単なる接着シートを用いてもよく、この場合には封印シールの破断状態を視認することにより不正行為を知ることができる。
また、切断片を折損し易い構成とする一方で、封印シールとして強度の高い材質を使用することによって、ケース片の開放時に切断片を折損させるように構成すれば、切断片の状態から不正行為の有無を知ることも可能となる。
【発明を実施するための最良の形態】
【００１３】
以下、本発明を図面に示した実施の形態により詳細に説明する。
図１は本発明の基板保護ケースの外観構成を示す斜視図（透視図）であり、図２はその分解斜視図であり、図３（ａ）及び（ｂ）は上ケースを下ケースに組み付ける手順を示した斜視図であり、図４（ａ）及び（ｂ）は封印端部に接着した封印シールを基板保護ケースの開放動作に伴って破断させる手順を示す説明図であり、図５（ａ）（ｂ）及び（ｃ）は下ケースに封印シールを接着してから上ケースを閉止し、その後上ケースを開放する過程で封印シールを破断させる手順を示す要部斜視図であり、図６（ａ）乃至（ｅ）は要部構成を示す断面図である。
基板保護ケース１は、ＲＯＭを始めとした電子部品を搭載した制御基板（プリント基板）Ｂを内部に収容した状態でパチンコ遊技機等の遊技機の背面側に組み付けられる。
基板保護ケース１は、ＲＯＭを搭載した制御基板（プリント基板）Ｂを間に挟んだ状態で内部に収容する透明な樹脂製の２つのケース片（下ケース片２、上ケース片１０）から構成されている。２つのケース片２、１０は、制御基板Ｂの両面と夫々対向した状態で組み付けられており、矢印で示した制御基板面と平行な方向へスライドすることにより開閉するように構成されている。
【００１４】
符号２ａは下ケース片２側に設けた長穴状のスライド係止部であり、このスライド係止部に設けた切欠き部を介して長穴内部に上ケース片１０に設けた係合突起１０ａを係合させることにより、下ケース片２に対して上ケース片１０が長手方向へスライド可能となっており、スライドさせることにより両者を着脱（開閉）することが可能となる。
なお、符号７０は遊技機の背面側に設けた遊技機側保持部に対して基板保護ケース１を取り付けるための連結部材であり、この連結部材７０に設けたフック部７１を遊技機側保持部に設けた軸部７５に係合させることにより、基板保護ケース１は軸部７５を中心として上下方向へ回動自在に軸支することができる。基板保護ケース１の下ケース片２がこの連結部材７０により保持されるため、基板保護ケース１は遊技機側の軸部７５を中心として上下方向へ回動することができる。
制御基板Ｂを収容した基板保護ケース１は下ケース片２を連結部材７０を介してパチンコ遊技機等の遊技盤の背面に添設させた状態で組み付けられるため、遊技盤の背面側から上ケース片１０を通して内部の制御基板面に搭載された電子部品を視認することができる。また、連結部材の上部に設けた軸部を中心として基板保護ケース１を上方に回動させることにより、透明な下ケース片２の底面から基板保護ケース内部を確認することができる。
【００１５】
この例では、連結部材７０に固定された下ケース片２の内部凹所内に制御基板Ｂを配置した状態で、上ケース片１０に設けた係合突起１０ａを下ケース片２に設けたスライド係止部２ａに嵌合させることにより上ケース片１０を下ケース片２上に被せてから、上ケース片１０を図１中に矢印で示した閉止方向へスライドさせることにより両ケース片を閉止状態で結合させることができる（図１の状態）。逆に、図１の閉止状態にある基板保護ケース１を開放状態に移行させる場合には、上ケース片１０に設けた係合突起を下ケース片２に設けたスライド係止部２ａに沿って図中に矢印で示した開放方向へスライドさせてから切欠き２ａから係合突起１０ａを離脱させればよい。
下ケース片２と上ケース片１０の各一端部には封印片３、１１が突設されており、両封印片３、１１を突き合わせる（近接させる）ことにより封印端部２０が形成される。また、両封印片の端縁３ａ、１１ａ同士を突き合わせた界面には、突き合わせ部（近接部）２１が形成される。つまり、各ケース片の閉止時には、一方のケース片である下ケース片２の前板２Ａが他方のケースである上ケース片１０の前板１０Ａと近接した位置にある。
【００１６】
本発明の特徴的な構成は、下ケース片２の前板２Ａの端縁３ａに凹状の切欠き部４を設けると共に、上ケース片１０の前板１０Ａに少なくとも一部が切欠き部４の前方に位置する切断片１２を突設し、下ケース片２に対して上ケース片１０を開放方向へスライドさせる際に切断片１２の少なくとも一部が切欠き部４内を通過するように構成した点にある。
つまり、切断片１２は、少なくともその一部が切欠き部４の前方にオーバーハングすることにより、開放操作時にケース片の前板２Ａと干渉するように構成されている一方で、前板２Ａ側には切断片１２との解消を回避するための切欠き部４を形成している。
本例では、切断片１２は、上ケース片の前板１０Ａから前方へ延びる基片１２ａと、基片１２ａから前記一方のケース片側へ屈曲、或いは湾曲した先端片１２ｂと、から構成されている。
なお、基片１２ａと先端片１２ｂとの間の角度は、図示の例のように９０度であってもよいし、図６（ａ）のように鋭角（Ｖ字状）であってもよい。但し、基片１２ａは上ケース片の前板１０Ａから直交する方向へ突出する必要はなく、図６（ｂ）のように下ケース側へ向けて傾斜していても良い。また、（ｃ）のようにコ字状であってもよいし、（ｄ）のように切断片１２全体の形状がＵ字状に湾曲していてもよい。要するに切断片１２の全部、又は一部が切欠き部を通過し得るように構成されていればよい。
【００１７】
また、図６（ａ）乃至（ｄ）の各例に示すように両ケース片の閉止時に、下ケース片の前板２Ａが上ケース片の前板１０Ａの前面側にオーバーラップするように構成してもよいし、或いは同図（ｅ）に示すように両前板２Ａと１０Ａの各端縁３ａ、１１ａ同士が当接していてもよい。
要するに、両ケース片の開放時に切断片が切欠き部内を通過する構成であれば、両ケース片の閉止時における両前板の位置関係は、どのような状態であってもよい。
なお、以下の説明では、下ケース片の前板２Ａが上ケース片の前板１０Ａの前方にオーバーラップするように構成したタイプを一例として説明する。
【００１８】
上記の如き構成を備えた基板保護ケース１を封印する手段として、封印シール３０が使用される。封印シール３０としては単なるシート状の接着シールであってもよいが、本例ではＲＦＩＤを組み込んだ封印シールを一例として説明する。
即ち、基板保護ケース１が図１のように閉止状態にある時に、両ケース片の端縁、本例では両封印片３、１１に跨るように封印シール３０を接着することにより、封印シール３０を破損せずには突き合わせ部（近接部）２１を開放できないように構成されている。
封印シール３０は一面に接着層を有した紙等の破断し易い材質から成る接着シート３１と、接着シート３１の一面に固定されたＲＦＩＤ（例えば、ＩＣタグ等の非接触型の電波による識別手段）３５と、を備えている。ＲＦＩＤ３５は、電力生成回路、変復調回路、記憶回路、制御回路を含むチップ３６と、チップ３６から反対方向に延びる二本の導体パターン３７と、各導体パターン３７の先端に夫々接続されたアンテナ部３８と、を有している。本例の封印シール３０は矩形の接着シート３１の略中心部にチップ３６を配置すると共に、チップ３６から略対角線方向へ向けて各導体パターン３７を引き出している。
【００１９】
図示しない読み取り装置からＲＦＩＤ３５に向けて読み取り用の電磁波を照射すると、アンテナ部３８が電磁波を受信し、導体パターン３７を介してチップ３６に電磁波を供給する。この電磁波によりチップ３６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
ＲＦＩＤを構成する線状の導体パターン３７は接着シート３１の略対角線方向へ延びており、導体パターン３７が突き合わせ部２１と交差するように封印シール３０を接着しておくことにより、基板保護ケースが不正に開放された場合に導体パターンの一部が断線して記憶情報の読み出しを不可能とすることができる。
即ち、基板保護ケース１を開放するために固定側の下ケース片２に対して可動側の上ケース片１０を図３中に矢印で示した開放方向（制御基板面と平行な方向）へスライドさせた際に、突き合わせ部２１が開放（スライド方向に位置ずれ）することにより接着シート３１と共にＲＦＩＤ３５の一部（チップ部３６や導体パターン３７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
【００２０】
しかし、実際には基板保護ケース１を不正に開放した際に二本の導体パターン３７のうちの一方のみが断線されたに過ぎない場合には、両ケース片２、１０を閉止状態に戻して破断した封印シール３０を修復することにより断線部が再接続により復旧して導通（読み取り装置との通信）を回復することが可能となることが判明した。
このような不具合に対処するために、本発明では、封印シールの一部、特にＲＦＩＤの一部が、下ケース片の前板２Ａに設けた切欠き部４内に位置するように封印シールを下ケース片２に接着しておき、下ケース片２に対して上ケース片１０を開放方向へスライドさせた際に切断片１２が切欠き部内に位置する封印シール部分を著しく破断（切断）させるように構成してＲＦＩＤの復旧を不可能とするようにしている。
即ち、封印シールは図３（ａ）に示すように下ケースの封印片３の前面に貼着されて切欠き部４を塞ぐと共に、封印シールの余剰端部は封印片の外面、或いは内面にかけて接着される。この状態で、図３（ｂ）に示すように上ケース片１０を下ケース片２に対して閉止状態に組み付ける。
【００２１】
次いで、上ケース片１０を開放方向へスライドさせると、図４（ａ）（ｂ）、図５（ａ）（ｂ）（ｃ）に示すように、前板１０Ａから突設された切断片１２の一部、即ち先端片１２ｂが、切欠き部４を閉止するように貼付された封印シール３０を破断しつつ通過するため、封印シールが確実に破断する。封印シールが破断すると分離した一部が破断片３０ａとして切断片１２側に移動する。
不正行為者が基板保護ケースを開放する行為を行った結果、一旦、切欠き部４に相当する封印シール部分に破断部が形成されると、基板保護ケースを閉止した後で破断部を修復しようとしても現状に完全に復することは極めて難しく、外観から一目瞭然となる。特に、切欠き部内内に位置していた封印シール部分が大きく破断するため、修復により破断の形跡をなくすることは極めて困難となる。
【００２２】
一方、切断片１２によって破断される封印シール部分にＲＦＩＤの一部、例えば導体パターン３７を位置させておくことにより接着シート３１と共にＦＲＩＤも修復不能な程度に破断させてその通信機能を喪失させることができる。
特に、基板保護ケースを開放してＲＯＭを交換する等の不正行為が遊技場の営業中に行われる場合には、基板保護ケースを開放してからＲＯＭを交換し、その後基板保護ケースを閉止して封印シールを補修するのに要する時間は僅かしかないため、完全な修復は極めて困難である。
なお、使用する封印シールの形状、面積、接着シール上におけるＲＦＩＤの位置等は、接着対象物となる封印片３の形状や、切断片１２の形状等に応じて種々選定可能である。
【００２３】
次に、図７は本発明の他の実施形態に係る基板保護ケースの全体斜視図であり、図８（ａ）（ｂ）及び（ｃ）はその切断手順を示す断面図である。なお、上記実施形態と同一部分には同一符号を付して説明する。
本実施形態に係る基板保護ケース１は、切断片１２（先端片１２ｂ）の内側面（切欠き部との対向面）に、封印シールを切断し易くするための突起１３を設けた点が特徴的である。この突起１３の先端を刃、或いは鋸刃のように尖らせることにより封印シールをより容易に切断することが可能となる。或いは、切断片の内側面に多数の針状の突起１３を設けて封印シールを切断し易くしてもよい。
或いは、図９（ａ）に示すように刃（鋸刃状を含む）の突起１３を切断片１２の周縁に沿って配置したり、（ｂ）に示すように針状の突起１３を切断片１２の周縁に沿って配置することにより、切断片１２（先端片１２ｂ）の外形に沿って封印シールの局部を完全に切断、分離することが可能となる。或いは、（ｃ）に示すように、先端片１２ｂの外周縁に沿ってギザギザ状の鋸刃（突起）１４を設けても良い。
【００２４】
図１０（ａ）は切断片の他の構成例を示す前方からの説明図（封印シールは図示を省略）であり、この例に係る切断片１２は前方視形状が逆三角形となっており、切断片自体の外形状が封印シールを切断し易く構成されている。或いは、図１０（ｂ）に示すようにこの切断片１２の外周縁に沿って鋸刃（突起）１４を設けたり、図９（ａ）（ｂ）のように切断片１２の内側に突起を設けて封印シールを切断し易くしても良い。この場合、下ケース片の前板２Ａに形成する切欠き部４の形状も、先端片１２ｂの外輪郭形状と整合する形状に設定する方が切断効果を高める上では好ましい。
或いは図１０（ｃ）に示すように複数の幅狭の逆三角形状の切断片１２（先端片１２ｂ）を連続形成してもよい。
要するに、切断片を構成する先端片１２ｂの正面形状は四角形、三角形に限らず、封印片に圧接したときにこれを切断し易い種々の形状を選定可能である。
【００２５】
以上のように本発明によれば、ＲＦＩＤ３５を組み込んだ封印シール３０によって封印された基板保護ケースが不正に開放されたことによって封印シールに含まれるＲＦＩＤが破断、断線した場合に、封印シールを修復しようとしてもＲＦＩＤの通信機能の回復を困難化することができる。
即ち、本発明では、一方のケース片の前板に切欠き部を形成し、開放時にスライド移動する側のケース片の前板には前記切欠き部内を通過可能な切断片を突設したので、切欠き部を塞ぐように封印シールを貼付した状態で基板保護ケースが不正に開放された場合には、切断片が確実に封印シールを破断させることとなる。このため、ケース片の端縁同士の突き合わせ部に接着された封印シール、及び封印シール上のＲＦＩＤが著しく破損されることとなり、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
なお、切断片１２を設ける位置は、上ケース片の前板１０Ａ以外の部位であってもよい。
切欠き部４とは、下ケース片の封印片３の端縁に形成され、且つ切断片１２の通過を許容する凹所、開口、スペースを全て含むものであり、その形状は問わないが、通過する切断片の外形輪郭線と近接（必要十分なギャップは必要）した内周輪郭形状を有していることにより、両者間での封印シールの切断が確実となる。
【００２６】
また、上記実施形態では、下ケース片に切欠き部を設ける一方で、上ケースに切断片を設けたが、この構成は逆にしてもよい。
また、封印シールとしてＲＦＩＤを備えていない単なる接着シートを使用した場合においても、接着シートを修復不能となるように切断することができるので、本発明の基板保護ケースの不正開放の形跡を残すことができる。
なお、切断片をケース片に形成する手法としては、樹脂材料によりケース片と切断片を一体成形する方法、樹脂製のケース片に対して樹脂製の切断片を後付け（接着、溶着）する方法、或いは、樹脂製のケース片に対して金属製の切断片を接着、その他の方法によって後付けする方法等を想定できる。
【００２７】
或いは、切断片１２を折れやすく構成しておくと共に、封印シールとして破断しにくい材料を使用することにより、封印シールを貼付した状態でケース片を無理に開放すると切断片１２が折損するように構成しておいてもよい。例えば、切断片１２の一部に溝を設け、この溝から折損し易く構成する。この場合には、切断片が折損している場合に、不正行為が行われたことを知ることができる。
本発明に係る基板保護ケース１は、パチンコ遊技機、スロットマシン等の遊技機に装備される制御基板を収容する手段として利用可能である。
【図面の簡単な説明】
【００２８】
【図１】本発明の基板保護ケースの外観構成を示す斜視図（透視図）である。
【図２】図１の基板保護ケースの分解斜視図である。
【図３】（ａ）及び（ｂ）は上ケースを下ケースに組み付ける手順を示した斜視図である。
【図４】（ａ）及び（ｂ）は封印端部に接着した封印シールを基板保護ケースの開放動作に伴って破断させる手順を示す説明図である。
【図５】（ａ）（ｂ）及び（ｃ）は下ケースに封印シールを接着してから上ケースを閉止し、その後上ケースを開放する過程で封印シールを破断させる手順を示す要部斜視図である。
【図６】（ａ）乃至（ｅ）は要部構成を示す断面図である。
【図７】本発明の他の実施形態に係る基板保護ケースの全体斜視図である。
【図８】（ａ）（ｂ）及び（ｃ）は図７の実施形態における切断手順を示す断面図である。
【図９】（ａ）（ｂ）及び（ｃ）は夫々本発明の他の実施形態に係る切断片の構成を示す斜視図である。
【図１０】（ａ）（ｂ）及び（ｃ）は夫々本発明の他の実施形態に係る切断片の構成を示す前方視図である。
【図１１】従来の基板保護ケースの構成を示す斜視図である。
【図１２】図１１の分解斜視図である。
【符号の説明】
【００２９】
１…基板保護ケース、２…下ケース片、２Ａ…前板、２ａ…スライド係止部、３…封印片、３ａ…端縁、１０…上ケース片、１０Ａ…前板、１０ａ…係合突起、１１…封印片、１２…切断片、１２ａ…基片、１２ｂ…先端片、１３…突起、２０…封印端部、２１…突き合わせ部（近接部）、２１ａ…基片、３０…封印シール、３０ａ…破断片、３１…接着シート、３５…ＲＦＩＤ、３６…チップ部、３７…導体パターン、３８…アンテナ部、７０…連結部材、７１…フック部、７５…軸部
【図１】
2010110427.tif 000003
【図２】
2010110427.tif 000004
【図３】
2010110427.tif 000005
【図４】
2010110427.tif 000006
【図５】
2010110427.tif 000007
【図６】
2010110427.tif 000008
【図７】
2010110427.tif 000009
【図８】
2010110427.tif 000010
【図９】
2010110427.tif 000011
【図１０】
2010110427.tif 000012
【図１１】
2010110427.tif 000013
【図１２】
2010110427.tif 000014